【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  実演家による実演に基づく電子情報内容を配信するシステムであって、
前記実演家による実演を収録して得た映像音楽素材情報を出力する情報収録送出装置と、
前記情報収録送出装置から映像音楽素材情報を入力して情報編集処理した実演映像及び／又は実演音楽に係る電子情報内容を配信する情報編集配信装置と、
前記情報編集配信装置から電子情報内容を受信して処理する情報処理装置と、
少なくとも、前記情報収録送出装置と情報編集配信装置とを接続する通信手段とを備え、
前記情報編集配信装置は、
前記実演家による実演映像及び／又は実演音楽を収録するように前記通信手段を通じて前記情報収録送出装置の遠隔制御することを特徴とする電子情報配信システム。
【請求項２】  前記情報収録送出装置は、
前記実演家による実演映像を撮影するように遠隔制御される撮影手段と、
前記実演家による実演音楽を収録するように遠隔制御される収音手段と、
前記撮影手段により撮影された実演映像及び／又は収音手段により収録された実演音楽を映像音楽素材情報に変換して出力する情報出力制御手段とを備え、
前記情報通信制御手段は、
前記情報編集配信装置から遠隔制御情報を受信し、前記実演家による実演映像及び／又は実演音楽を収録するように当該遠隔制御情報に基づいて前記撮影手段及び収音手段を遠隔制御することを特徴とする請求項１に記載の電子情報配信システム。
【請求項３】  前記情報編集配信装置は、
前記情報収録送出装置を遠隔制御する情報を含む操作情報を入力する入力手段と、
前記情報収録送出装置から映像音楽素材情報を入力して情報編集処理する情報編集手段と、
前記情報編集手段により編集された実演映像及び／又は実演音楽に係る電子情報内容を配信する情報配信手段と、
前記入力手段からの操作情報に基づいて情報編集手段及び情報配信手段の入出力を制御する編集配信制御手段とを備え、
前記編集配信制御手段は、
前記情報収録送出装置へ遠隔制御情報を送信し、前記実演家による実演映像及び／又は実演音楽を収録するように前記撮影手段及び収音手段を遠隔制御することを特徴とする請求項１に記載の電子情報配信システム。
【請求項４】  前記情報収録送出装置を世界各国又は国内の実演地に配置すると共に、前記情報編集配信装置を編集地となる一の国又は国内に配置し、
前記編集地の情報編集配信装置において、
前記情報収録送出装置によって収録される映像音楽素材情報を一元編集及び実演家の著作権を一元管理すると共に、前記実演家による実演映像及び／又は実演音楽に関する電子情報内容を全世界又は国内に配信することを特徴とする請求項１に記載の電子情報配信システム。
【請求項５】  前記情報編集配信装置によって情報編集処理された電子情報内容に関して前記実演家の承諾を取得し、
前記実演家の承諾を取得した後の前記電子情報内容を前記情報処理装置へ配信することを特徴とする請求項１に記載の電子情報配信システム。
【請求項６】  前記情報編集配信装置において、
前記電子情報内容に複製禁止処理を施すことを特徴とする請求項１に記載の電子情報配信システム。
【請求項７】  前記情報編集配信装置において、
前記一の実演地に係る複数の実演映像及び／又は実演音楽に関する電子情報内容を多重処理して配信し、前記情報処理装置で前記一の実演地に係る電子情報内容を任意に選択可能なようにしたことを特徴とする請求項１に記載の電子情報配信システム。
【請求項８】  前記情報編集配信装置から情報処理装置へ複製困難なデータストリーミング形式により実演映像及び実演音楽に係る電子情報内容を配信することを特徴とする請求項１に記載の電子情報配信システム。
【請求項９】  電子情報内容を配信するシステムの情報編集配信装置に接続されると共に、実演家による実演に基づく実演情報及び／又は実演音楽を収録出力処理する装置であって、
前記実演家による実演映像を撮影するように遠隔制御される撮影手段と、
前記実演家による実演音楽を収録するように遠隔制御される収音手段と、
前記撮影手段により撮影された実演映像及び／又は収音手段により収録された実演音楽を映像音楽素材情報に変換して出力する情報出力制御手段とを備え、
前記情報出力制御手段は、
前記情報編集配信装置から遠隔制御情報を受信し、前記実演家による実演映像及び／又は実演音楽を収録するように前記撮影手段及び収音手段を遠隔制御することを特徴とする情報収録送出装置。
【請求項１０】  電子情報内容を配信するシステムの情報収録送出装置から映像音楽素材情報を入力して編集配信処理する装置であって、
前記情報収録送出装置を遠隔制御するための情報を含む操作情報を入力する入力手段と、
前記情報収録送出装置から映像音楽素材情報を入力して情報編集処理する情報編集手段と、
前記情報編集手段により編集された実演映像及び／又は実演音楽に係る電子情報内容を配信する情報配信手段と、
前記入力手段からの操作情報に基づいて情報編集手段及び情報配信手段の入出力を制御する編集配信制御手段とを備え、
前記編集配信制御手段は、
前記情報収録送出装置へ遠隔制御情報を送信し、前記実演家による実演映像及び／又は実演音楽を収録するように前記情報収録送出装置を遠隔制御することを特徴とする情報編集配信装置。
【請求項１１】  前記編集配信制御手段は、
前記情報編集手段によって情報編集処理された電子情報内容に関して前記実演家の承諾を取得し、
前記実演家の承諾を取得した後の前記電子情報内容を前記情報配信手段から情報利用者へ配信するように制御することを特徴とする請求項１０に記載の情報編集配信装置。
【請求項１２】  前記編集配信制御手段は、
前記電子情報内容に複製禁止処理を施すように前記情報配信手段を制御することを特徴とする請求項１０に記載の情報編集配信装置。
【請求項１３】  前記編集配信制御手段は、
一の実演地に係る複数の前記実演映像及び実演音楽に関する電子情報内容を多重処理して配信し、前記情報利用者の側で前記一の実演地に係る電子情報内容を任意に選択可能なように前記情報編集手段を制御することを特徴とする請求項１０に記載の情報編集配信装置。
【請求項１４】  実演家による実演に基づく電子情報内容を配信して処理する方法であって、
実演地の各々に前記実演家による実演を収録して映像音楽素材情報を出力する情報収録送出装置を配置し、
各々の前記情報収録送出装置から映像音楽素材情報を入力して情報編集処理をし、当該情報編集処理後の実演映像及び／又は実演音楽に係る電子情報内容を配信する情報編集配信装置を編集地に配置し、
前記実演地に配置された情報収録送出装置と前記編集地に配置された情報編集配信装置とを通信手段を介して接続し、
前記実演家による実演映像及び／又は実演音楽を収録するように前記通信手段を通じて前記情報収録送出装置の各々を遠隔制御し、
遠隔制御される前記実演地の情報収録送出装置から得られる映像音楽素材情報を前記編集地の情報編集配信装置で情報編集処理し、
前記情報編集処理により得られた電子情報内容を情報配信処理することを特徴とする情報処理方法。
【請求項１５】  前記情報収録送出装置を世界各国又は国内の実演地に配置すると共に、前記情報編集配信装置を編集地となる一の国又は国内に配置し、
前記編集地の情報編集配信装置において、
前記情報収録送出装置によって収録される映像音楽素材情報を一元編集及び実演家の著作権を一元管理すると共に、前記実演家による実演映像及び／又は実演音楽に関する電子情報内容を全世界又は国内に配信することを特徴とする請求項１４に記載の情報処理方法。
【請求項１６】  前記情報編集配信装置によって情報編集処理された電子情報内容に関して前記実演家の承諾を取得し、
前記実演家の承諾を取得した後の前記電子情報内容を情報利用者へ配信することを特徴とする請求項１４に記載の情報処理方法。
【請求項１７】  前記情報編集配信装置において、
前記電子情報内容に複製禁止処理を施すことを特徴とする請求項１４に記載の情報処理方法。
【請求項１８】  前記情報編集配信装置において、
前記一の実演地に係る複数の実演映像及び／又は実演音楽に関する電子情報内容を多重処理して配信し、前記情報利用者の側で前記一の実演地に係る電子情報内容を任意に選択可能なようにしたことを特徴とする請求項１４に記載の情報処理方法。
【請求項１９】  前記情報編集配信装置から情報利用者へ複製困難なデータストリーミング形式により実演映像及び／又は実演音楽に係る電子情報内容を配信することを特徴とする請求項１４に記載の情報処理方法。
【手続補正２】
【補正対象書類名】明細書
【補正対象項目名】００１８
【補正方法】変更
【補正の内容】
【００１８】
【課題を解決するための手段】
上述した課題は、実演家による実演に基づく電子情報内容を配信するシステムであって、実演家による実演を収録して得た映像音楽素材情報を出力する情報収録送出装置と、情報収録送出装置から映像音楽素材情報を入力して情報編集処理した実演映像及び／又は実演音楽に係る電子情報内容を配信する情報編集配信装置と、この情報編集配信装置から電子情報内容を受信して処理する情報処理装置と、少なくとも、情報収録送出装置と情報編集配信装置とを接続する通信手段とを備え、この情報編集配信装置は、実演家による実演映像及び／又は実演音楽を収録するように通信手段を通じて情報収録送出装置の各々を遠隔制御することを特徴とする電子情報配信システムによって解決される。
【手続補正３】
【補正対象書類名】明細書
【補正対象項目名】００１９
【補正方法】変更
【補正の内容】
【００１９】
本発明に係る電子情報配信システムによれば、実演家による実演に基づく電子情報内容を配信する場合に、例えば、編集地となる一の国又は国内に情報編集配信装置が配置されると共に、世界各国又は国内の実演地に情報収録送出装置が配置される。これらの情報収録送出装置と情報編集配信装置とが通信手段を通じて接続される。これを前提にして、情報編集配信装置は実演家による実演映像及び／又は実演音楽を収録するように通信手段を通じて情報収録送出装置を遠隔制御するようになされる。
【手続補正４】
【補正対象書類名】明細書
【補正対象項目名】００２０
【補正方法】変更
【補正の内容】
【００２０】
例えば、情報収録送出装置の情報出力制御手段では、情報編集配信装置から遠隔制御情報を受信し、実演家による実演映像及び／又は実演音楽を収録するように撮影手段及び収音手段を遠隔制御する。撮影手段では、実演家による実演映像を撮影するように遠隔制御される。収音手段では実演家による実演音楽を収録するように遠隔制御される。撮影手段により撮影された実演映像及び／又は収音手段により収録された実演音楽は情報出力制御手段により映像音楽素材情報に変換されて情報編集配信装置へ出力するようになされる。
【手続補正５】
【補正対象書類名】明細書
【補正対象項目名】００２１
【補正方法】変更
【補正の内容】
【００２１】
情報編集配信装置では、各々の情報収録送出装置から映像音楽素材情報を入力して情報編集処理した実演映像及び／又は実演音楽に係る電子情報内容が配信される。情報処理装置では情報編集配信装置から電子情報内容を受信して処理するようになされる。
【手続補正６】
【補正対象書類名】明細書
【補正対象項目名】００２２
【補正方法】変更
【補正の内容】
【００２２】
従って、実演地における実演映像を撮影する撮影手段の操作、実演音楽を収録する収音手段の操作及び、これらの撮影・収録レベルの調整等を人手を介さずに編集地において設定できるので、実演地（ライブハウス）での収録オペレータの無人化を図ることができる。これにより、世界各地に存在するライブハウス等で実演され、この実演によって収録される映像音楽素材情報を一元編集及び実演家の著作権を一元管理することができ、その実演家による実演映像及び／又は実演音楽に関する電子情報内容を全世界に配信する電子情報配信システムを構築することができる。
【手続補正７】
【補正対象書類名】明細書
【補正対象項目名】００２３
【補正方法】変更
【補正の内容】
【００２３】
本発明に係る情報収録送出装置は、電子情報内容を配信するシステムの情報編集配信装置に接続されると共に、実演家による実演に基づく実演情報及び／又は実演音楽を収録出力処理する装置であって、実演家による実演映像を撮影するように遠隔制御される撮影手段と、この実演家による実演音楽を収録するように遠隔制御される収音手段と、撮影手段により撮影された実演映像及び収音手段により収録された実演音楽を映像音楽素材情報に変換して出力する情報出力制御手段とを備え、この情報出力制御手段は、情報編集配信装置から遠隔制御情報を受信し、実演家による実演映像及び実演音楽を自動収録するように撮影手段及び収音手段を遠隔制御することを特徴とするものである。
【手続補正８】
【補正対象書類名】明細書
【補正対象項目名】００２４
【補正方法】変更
【補正の内容】
【００２４】
本発明に係る情報収録送出装置によれば、実演家による実演に基づく実演情報及び／又は実演音楽を収録出力処理する場合に、電子情報内容を配信するシステムの情報編集配信装置に接続される。これを前提にして、情報出力制御手段では、情報編集配信装置から遠隔制御情報を受信し、実演家による実演映像及び／又は実演音楽を収録するように撮影手段及び収音手段を遠隔制御する。撮影手段では、実演家による実演映像を撮影するように遠隔制御される。収音手段では実演家による実演音楽を収録するように遠隔制御される。撮影手段により撮影された実演映像及び収音手段により収録された実演音楽は情報出力制御手段により映像音楽素材情報に変換されて情報編集配信装置へ出力するようになされる。
【手続補正９】
【補正対象書類名】明細書
【補正対象項目名】００２６
【補正方法】変更
【補正の内容】
【００２６】
本発明に係る情報編集配信装置は、電子情報内容を配信するシステムの情報収録送出装置から映像音楽素材情報を入力して編集配信処理する装置であって、情報収録送出装置を遠隔制御するための情報を含む操作情報を入力する入力手段と、情報収録送出装置から映像音楽素材情報を入力して情報編集処理する情報編集手段と、この情報編集手段により編集された実演映像及び／又は実演音楽に係る電子情報内容を配信する情報配信手段と、入力手段からの操作情報に基づいて情報編集手段及び情報配信手段の入出力を制御する編集配信制御手段とを備え、この編集配信制御手段は、情報収録送出装置へ遠隔制御情報を送信し、実演家による実演映像及び／又は実演音楽を収録するように情報収録送出装置を遠隔制御することを特徴とするものである。
【手続補正１０】
【補正対象書類名】明細書
【補正対象項目名】００２７
【補正方法】変更
【補正の内容】
【００２７】
本発明に係る情報編集配信装置によれば、情報収録送出装置から映像音楽素材情報を入力して編集配信処理する場合に、例えば、実演地に配置された情報収録送出装置と編集地に配置された情報編集配信装置とが接続される。これを前提にして、入力手段は情報収録送出装置を遠隔制御するための情報を含む操作情報を入力するように操作される。編集配信制御手段では入力手段からの操作情報に基づいて情報収録送出装置へ遠隔制御情報を送信し、実演家による実演映像及び／又は実演音楽を収録するように情報収録送出装置を遠隔制御する。これと共に、編集配信制御手段は情報編集手段及び情報配信手段の入出力を制御する。この制御によって情報編集手段では、各々の情報収録送出装置から映像音楽素材情報を入力して情報編集処理がなされる。情報配信手段では、この情報編集手段により編集された実演映像及び／又は実演音楽に係る電子情報内容を情報利用者へ配信するようになされる。
【手続補正１１】
【補正対象書類名】明細書
【補正対象項目名】００２９
【補正方法】変更
【補正の内容】
【００２９】
本発明に係る情報処理方法は、実演家による実演に基づく電子情報内容を配信して処理する方法であって、実演地の各々に実演家による実演を収録して映像音楽素材情報を出力する情報収録送出装置を配置し、各々の情報収録送出装置から映像音楽素材情報を入力して情報編集処理をし、当該情報編集処理後の実演映像及び／又は実演音楽に係る電子情報内容を配信する情報編集配信装置を編集地に配置し、実演地に配置された情報収録送出装置と編集地に配置された情報編集配信装置とを通信手段を介して接続し、実演家による実演映像及び／又は実演音楽を収録するように通信手段を通じて情報収録送出装置の各々を遠隔制御し、ここで遠隔制御される実演地の情報収録送出装置から得られる映像音楽素材情報を編集地の情報編集配信装置で情報編集処理し、ここで情報編集処理により得られた電子情報内容を情報配信処理することを特徴とするものである。
【手続補正１２】
【補正対象書類名】明細書
【補正対象項目名】００３１
【補正方法】変更
【補正の内容】
【００３１】
従って、世界各地に存在するライブハウス等で実演され、この実演によって収録される映像音楽素材情報を一元編集及び実演家の著作権を一元管理することができ、その実演家による実演映像及び／又は実演音楽に関する電子情報内容を全世界に配信する電子情報配信システムの構築に寄与するところが大きい。